(57)【要約】【課題】  耐久性が向上したダンパーを備えたスピーカ装置を提供する。【解決手段】  アラミド繊維を含むダンパーを備え、ダンパーとフレームの間に接着部材を介在させ、ダンパーの外周縁部をフレームと外周縁部に沿ったリング状部材で挟持し、上方からネジ止めすることによりダンパーをフレームに固着する。【選択図】      図４
2005341294.tif 000002
【特許請求の範囲】
【請求項１】
アラミド繊維を含むダンパーを備え、前記ダンパーの外周縁部をフレームと前記外周縁部に沿ったリング状部材で挟持して前記フレームに固着することを特徴とするスピーカ装置。
【請求項２】
前記リング状部材を前記フレームにネジ止めすることによって前記外周縁部を固着することを特徴とする請求項１に記載されたスピーカ装置。
【請求項３】
前記ダンパーと前記フレームの間に、接着部材を介在させることを特徴とする請求項１又は２に記載のスピーカ装置。
【請求項４】
アラミド繊維を含むダンパーをフレームに固着するスピーカの製造方法であって、前記ダンパーの外周縁部を前記フレームと前記外周縁部に沿ったリング状部材で挟持して前記フレームに固着することを特徴とするスピーカ装置の製造方法。
【発明の詳細な説明】
【技術分野】
【０００１】
本発明はスピーカ装置及びその製造方法に関するものである。
【背景技術】
【０００２】
図１は従来のスピーカ装置（以下の特許文献１）を説明する図である。スピーカ装置１は中心に磁性材からなるセンターポール２を備え、このセンターポール２を含むヨーク３の断面は、段差を有する逆Ｔ字型を形成し、ヨーク３の円周端部上に中央のセンターポール２と一定の離間距離を保ち、一定の厚みを有するリング状のマグネット４を備える。リング状のプレート５はマグネット４の上面に配置され、これらヨーク３、マグネット４、プレート５から磁性回路を形成する。
【０００３】
プレート５上に形成された金属からなるフレーム６はその一部に平坦部６Ａを有する漏斗形状をなし、ダンパーＤの外周縁が接着部材Ｓにより平坦部６Ａ上に接着されている。またセンターポール２とプレート５の内周との間に空隙７を備え、空隙７にはセンターポール２を巻回した円筒状のボイスコイルボビン８、及びそのボイスコイルボビン８を巻回するボイスコイル９が配設される。ボイスコイルボビン８の側面のうちボイスコイル９上部は、ダンパーＤと固着され、更にその上部は振動板１０と固着され、振動板１０の他端はフレーム６の端部（エッジ）と連繋されている。端子１１は、フレーム６の外側に配置され、錦糸線１２を介してボイスコイル９から引き出されたリード線（不図示）と接続されて、この端子１１が得る音声信号をリード線を通じてボイスコイル９に供給する。また、ボイスコイルボビン８の上面には防塵用のキャップ１３を設ける。
【０００４】
【特許文献１】特開平０６−１４３８３号公報
【発明の開示】
【発明が解決しようとする課題】
【０００５】
しかし、上記特許文献１に記載されたスピーカ装置では、激しい振動や高入力に対してダンパーＤ自体が破れてしまい充分な機能を維持できなくなるという問題があった。また、これらの激しい振動等によりフレーム６との接着面に接着部材Ｓを介して接着したにもかかわらず、ダンパーＤとフレーム６が剥離するという問題も生じていた。
【０００６】
更には、スピーカ装置の小型化、薄型化に伴い軽量小型のスピーカ装置１においては、一般に最低共振周波数ｆ０が比較的高くなり、結果低音が出にくくなるという問題もあった。これは、スピーカ装置１全体が軽量化されたために振動系の等価質量ｍ０が減少しためである。
【０００７】
本発明は、このような問題に対処することを課題の一例とするものである。すなわち、スピーカ装置におけるダンパーの強度を増すと共にダンパーがフレームと剥離することを防ぐこと等が本発明の目的である。
【課題を解決するための手段】
【０００８】
このような目的を達成するために、本発明によるスピーカ装置は、以下の各独立請求項に係る構成を少なくとも具備するものである。
【０００９】
[請求項１]  アラミド繊維を含むダンパーを備え、前記ダンパーの外周縁部をフレームと前記外周縁部に沿ったリング状部材で挟持して前記フレームに固着することを特徴とするスピーカ装置。
【００１０】
[請求項４]  アラミド繊維を含むダンパーをフレームに固着するスピーカの製造方法であって、前記ダンパーの外周縁部を前記フレームと前記外周縁部に沿ったリング状部材で挟持して前記フレームに固着することを特徴とするスピーカ装置の製造方法。
【発明を実施するための最良の形態】
【００１１】
以下、本発明の実施形態を図面を参照して説明する。図２は、本発明の実施形態に係るスピーカ装置２０を示す断面図であり、図１に示す従来のスピーカ１と同一構成要素には同一符号を付し、同内容の説明を省略する。
【００１２】
本発明の実施形態は、アラミド繊維を含むダンパー３０を備え、このダンパー３０の外周縁部をフレーム６とこの外周縁部に沿ったリング状部材４２で挟持してフレーム６に固着したものである。ここで、ダンパー３０とフレーム６は、フレーム６の平坦部６Ａ上の固着部４０によって固着されている。なお、本発明の実施形態は、平坦部とダンパーの固着について開示したが、ダンパーがフレームに固着される箇所は特に平坦部だけに限ったものではない。
【００１３】
図３は、本発明の実施形態のダンパー３０を示す平面図である。ダンパー３０は、波形の同心円状に形成された波形部３０ａとその外周縁部３０ｂからなり、波形部３０ａの全部又は一部にアラミド繊維（例えば、ポリ系アラミド繊維又はパラ系アラミド繊維）を含む。外周縁部３０ｂは、波形部３０ａの外周を形成し、波形部３０ａと連続する一体化した平坦面であるため波形部３０ａと同様にアラミド繊維を含んだ素材から形成され、この外周縁部３０ｂ上に外周縁部３０ｂに沿ったリング状部材４２を配置する。
【００１４】
図４は、図２に示す本発明の実施形態の固着部４０の拡大断面図である。固着部４０は、接着部材４１とリング状部材４２、ネジ４３からなり、ダンパー３０の外周縁部３０ｂをフレーム６の平坦部６Ａとリング状部材４２で挟持し、上方からネジ４３でネジ止めして固着する。
【００１５】
同図にしたがって、この固着方法について説明すると、フレーム６の一部からなる平坦部６Ａ上に接着部材４１を塗布し、この接着部材４１の上方にアラミド繊維を含むダンパー３０の外周縁部３０ｂを配置する。ここで接着部材４１について特に制限はないものの、ダンパー３０が補強を目的としたアラミド繊維を含む素材で形成されているため、アラミド繊維との接着性が良好な材料が好ましく、またアラミド繊維の各繊維の太さや織り込み密度等を考慮して、その接着部材４１の材質を適宜選択することが好ましい。例えば、クロロプレン、ニトリルゴム等を主成分とする接着部材、アクリル樹脂系やシリコン系接着部材を用いる。
【００１６】
次に、接着部材４１と接着したダンパー３０の外周縁部３０ｂ上にリング状部材４２を配設する。このリング状部材４２は、外周縁部３０ｂに沿った環状形状をなし、材質等については特に制限はない。また、リング状部材４２の所望位置に不図示な孔部が設けられており、この孔部にネジ４３を回転挿入して、ダンパー３０とフレーム６の固着強化を図る。ネジ４３は、その先端がダンパー３０の外周縁部３０ｂと接着部材４１を貫通し、フレーム６の平坦部６Ａにまで到達させることが必要であり、また平坦部６Ａを貫通するものであってもよい。
【００１７】
したがって、本発明の実施形態は、平坦部６Ａとダンパー３０の外周縁部３０ｂの間に接着部材４１を介在した後、リング状部材４２を外周縁部３０ｂ上に配置し、上方からネジ４３によりネジ止めすることによってダンパー３０とフレーム６の接着をより強固とするスピーカ装置２０を得ることができる。
【００１８】
以上説明したように、本発明の実施形態のスピーカ装置及びその製造方法によると、アラミド繊維を含むダンパーを用いることで、ダンパー自体の強度が増すと共に、フレームとダンパーの外周縁部の間に接着部材を介在し、ダンパーの外周縁部をこの外周縁部に沿ったリング状部材で挟持し、これらの上方からネジ止めすることでダンパーとフレームをより強固に固着できる。
【００１９】
また、アラミド繊維を用いることで切断強度が増し、更にリング状部材によって外周縁部に均一な押圧力が加わるので、ネジ止めした場合にもダンパーの外周縁部に裂けが生じることもない。
【００２０】
更には、本発明の実施形態は、フレームの一部である平坦部に接着部材やリング状部材、ネジなどの固着部材を配置することで、スピーカ装置の振動系の等価質量が増加するため、最低共振周波数ｆ０を低く抑えることができるので、低音出力に効果的なハイパワースピーカ装置に有効である。
【図面の簡単な説明】
【００２１】
【図１】従来技術のスピーカ装置を表す説明図である。
【図２】本発明の実施形態に係るスピーカ装置を示す説明図である。
【図３】本発明の実施形態に係るスピーカ装置のダンパーを示す説明図である。
【図４】図２の固着部を拡大した断面図である。
【符号の説明】
【００２２】
３０    ダンパー
３０ｂ  外周縁部
４０    固着部
４１    接着部材
４２    リング状部材
４３    ネジ
【図１】
2005341294.tif 000003
【図２】
2005341294.tif 000004
【図３】
2005341294.tif 000005
【図４】
2005341294.tif 000006